【手続補正書】
【提出日】令和2年3月17日(2020.3.17)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
遊技状態を制御する遊技状態制御手段と、
表示手段と、
を備え、
前記遊技状態制御手段は、遊技者にとって有利な有利状態と、前記有利状態とは異なる特殊状態と、該有利状態及び該特殊状態とは異なる特別状態と、に制御可能であり、
前記有利状態として、複数種類の有利状態があり、
前記特別状態として、第１特別状態と、該第１特別状態よりも前記特殊状態により遊技価値が付与され易い第２特別状態と、があり、
前記第１特別状態において所定条件が成立したことに基づいて、該第１特別状態から前記第２特別状態へ移行可能であり、
前記表示手段は、前記第１特別状態において前記所定条件に関する複数種類の示唆表示を表示可能であり、
前記第１特別状態においていずれの種類の示唆表示が表示されたかによって、該第１特別状態から前記第２特別状態へ移行する割合が異なり、
特定の種類の前記有利状態に制御されたことに基づいて、前記第２特別状態に移行可能である
ことを特徴とする遊技機。
【請求項２】
遊技を行うことが可能な遊技機であって、
遊技状態を制御する遊技状態制御手段と、
表示手段と、
を備え、
前記有利状態として、複数種類の有利状態があり、
前記遊技状態制御手段は、遊技者にとって有利な有利状態と、前記有利状態とは異なる特殊状態と、該有利状態及び該特殊状態とは異なる特別状態と、に制御可能であり、
前記特別状態として、第１特別状態と、該第１特別状態よりも前記特殊状態により遊技価値が付与され易い第２特別状態と、があり、
前記第１特別状態において所定条件が成立したことに基づいて、該第１特別状態から前記第２特別状態へ移行可能であり、
前記表示手段は、前記第１特別状態において前記所定条件に関する示唆表示を表示可能であり、
前記第１特別状態において前記示唆表示が表示されたか否かによって、該第１特別状態から前記第２特別状態へ移行する割合が異なり、
特定の種類の前記有利状態に制御されたことに基づいて、前記第２特別状態に移行可能である
ことを特徴とする遊技機。
【手続補正２】
【補正対象書類名】明細書
【補正対象項目名】０００６
【補正方法】変更
【補正の内容】
【０００６】
（Ａ）上記目的を達成するため、本願発明に係る遊技機は、遊技を行うことが可能な遊技機であって、遊技状態を制御する遊技状態制御手段と、表示手段と、を備え、前記遊技状態制御手段は、遊技者にとって有利な有利状態と、前記有利状態とは異なる特殊状態と、該有利状態及び該特殊状態とは異なる特別状態と、に制御可能であり、前記有利状態として、複数種類の有利状態があり、前記特別状態として、第１特別状態と、該第１特別状態よりも前記特殊状態により遊技価値が付与され易い第２特別状態と、があり、前記第１特別状態において所定条件が成立したことに基づいて、該第１特別状態から前記第２特別状態へ移行可能であり、前記表示手段は、前記第１特別状態において前記所定条件に関する複数種類の示唆表示を表示可能であり、前記第１特別状態においていずれの種類の示唆表示が表示されたかによって、該第１特別状態から前記第２特別状態へ移行する割合が異なり、特定の種類の前記有利状態に制御されたことに基づいて、前記第２特別状態に移行可能である。
（１）上記目的を達成するため、他の態様に係る遊技機は、遊技を行うことが可能な遊技機であって（例えば、遊技を行うことが可能なパチンコ遊技機１等）、遊技状態を制御する遊技状態制御手段と（例えば、遊技状態を制御するＣＰＵ１０３等）、表示手段と（例えば、画像表示装置５等）、を備え、前記遊技状態制御手段は、遊技者にとって有利な有利状態と、前記有利状態とは異なる特殊状態と、該有利状態及び該特殊状態とは異なる特別状態と、に制御可能であり（例えば、遊技者にとって有利な大当り遊技状態と、大当り遊技状態とは異なる小当り遊技状態と、大当り遊技状態及び小当り遊技状態とは異なるＫＴ状態と、に制御可能であること等）、前記特別状態として、第１特別状態と、該第１特別状態よりも前記特殊状態により遊技価値が付与され易い第２特別状態と、があり（例えば、ＫＴ状態として、第１ＫＴ状態と、第１ＫＴ状態よりも小当り遊技状態により賞球が得られ易い第２ＫＴ状態と、があること等）、前記第１特別状態において所定条件が成立したことに基づいて、該第１特別状態から前記第２特別状態へ移行可能であり（例えば、第１ＫＴ状態において所定の移行条件が成立したことに基づいて、第１ＫＴ状態から第２ＫＴ状態へ移行可能であること等）、前記表示手段は、前記第１特別状態において前記所定条件に関する複数種類の示唆表示を表示可能であり（例えば、第１ＫＴ状態において第１移行条件となる可変表示回数を示唆する複数種類のカウントダウン予告に対応する演出画像を表示可能であること等）、前記第１特別状態においていずれの種類の示唆表示が表示されたかによって、該第１特別状態から前記第２特別状態へ移行する割合が異なる（例えば、第１ＫＴ状態においていずれの種類のカウントダウン予告に対応する演出画像が表示されたかによって、第１ＫＴ状態から第２ＫＴ状態へ移行する割合が異なること等）。
【手続補正３】
【補正対象書類名】明細書
【補正対象項目名】０００８
【補正方法】変更
【補正の内容】
【０００８】
（Ｂ）上記目的を達成するため、本願発明に係る遊技機は、遊技を行うことが可能な遊技機であって、遊技状態を制御する遊技状態制御手段と、表示手段と、を備え、前記有利状態として、複数種類の有利状態があり、前記遊技状態制御手段は、遊技者にとって有利な有利状態と、前記有利状態とは異なる特殊状態と、該有利状態及び該特殊状態とは異なる特別状態と、に制御可能であり、前記特別状態として、第１特別状態と、該第１特別状態よりも前記特殊状態により遊技価値が付与され易い第２特別状態と、があり、前記第１特別状態において所定条件が成立したことに基づいて、該第１特別状態から前記第２特別状態へ移行可能であり、前記表示手段は、前記第１特別状態において前記所定条件に関する示唆表示を表示可能であり、前記第１特別状態において前記示唆表示が表示されたか否かによって、該第１特別状態から前記第２特別状態へ移行する割合が異なり、特定の種類の前記有利状態に制御されたことに基づいて、前記第２特別状態に移行可能である。
（２）上記目的を達成するため、他の態様に係る遊技機は、遊技を行うことが可能な遊技機であって（例えば、遊技を行うことが可能なパチンコ遊技機１等）、遊技状態を制御する遊技状態制御手段と（例えば、遊技状態を制御するＣＰＵ１０３等）、表示手段と（例えば、画像表示装置５等）、を備え、前記遊技状態制御手段は、遊技者にとって有利な有利状態と、前記有利状態とは異なる特殊状態と、該有利状態及び該特殊状態とは異なる特別状態と、に制御可能であり（例えば、遊技者にとって有利な大当り遊技状態と、大当り遊技状態とは異なる小当り遊技状態と、大当り遊技状態及び小当り遊技状態とは異なるＫＴ状態と、に制御可能であること等）、前記特別状態として、第１特別状態と、該第１特別状態よりも前記特殊状態により遊技価値が付与され易い第２特別状態と、があり（例えば、ＫＴ状態として、第１ＫＴ状態と、第１ＫＴ状態よりも小当り遊技状態により賞球が得られ易い第２ＫＴ状態と、があること等）、前記第１特別状態において所定条件が成立したことに基づいて、該第１特別状態から前記第２特別状態へ移行可能であり（例えば、第１ＫＴ状態において所定の移行条件が成立したことに基づいて、第１ＫＴ状態から第２ＫＴ状態へ移行可能であること等）、前記表示手段は、前記第１特別状態において前記所定条件に関する複数種類の示唆表示を表示可能であり（例えば、第１ＫＴ状態において第１移行条件となる可変表示回数を示唆する複数種類のカウントダウン予告に対応する演出画像を表示可能であること等）、前記第１特別状態において前記示唆表示が表示されたか否かによって、該第１特別状態から前記第２特別状態へ移行する割合が異なる（例えば、第１ＫＴ状態においてカウントダウン予告に対応する演出画像が表示されたか否かによって、第１ＫＴ状態から第２ＫＴ状態へ移行する割合が異なること等）。